(57)【特許請求の範囲】
【請求項１】
押下げタイプの噴射操作部を静止モードの状態に保持して内容物の噴射操作を阻止するロックモード、および作動モードの当該噴射操作部の天面を受けてその位置に保持する連続作動モードが個々に設定されるエアゾール噴射操作機構において、
前記内容物を収容した容器本体の側に、前記噴射操作部を保護する形で常時取り付けられている筒状のカバーキャップと、
前記ロックモードの位置と前記噴射操作が可能なロック解除モードの位置との間における前後方向へのスライド操作、および当該ロック解除モードの状態で前記連続作動モードを設定・解除するための回動起立操作・倒伏操作がそれぞれおこなえる態様で、前記カバーキャップに取り付けられたロック操作部と、を備え、
前記ロック操作部は、
前記スライド操作の際に前記カバーキャップに案内され、かつ、前記回動起立操作の際にその回動中心として作用するモードシフト用基部と、
前記ロックモードの前記噴射操作部を下側から保持してその下方向への移動を阻止する下動阻止作用部と、
前記連続作動モードの前記噴射操作部の天面を保持してその上方向への移動を阻止する上動阻止作用部と、を有し、
前記連続作動モードのとき、
前記ロック操作部が、利用者からみて前記前後方向における倒伏状態とは視認識別可能な、起立状態に設定される、
ことを特徴とするエアゾール噴射操作機構。
【請求項２】
前記ロック操作部は、前記カバーキャップの後端側下部分とその上方の前記噴射操作部との間に配される部材である、  ことを特徴とする請求項１記載のエアゾール噴射操作機構。
【請求項３】
前記ロック操作部は、前側が開口したＵ字状部材であり、  前記上動阻止作用部は、前記Ｕ字状部材の後側内周面に形成されて、前記回動起立操作により前記噴射操作部の天面の保持位置へ移動する凸状部である、  ことを特徴とする請求項１または２記載のエアゾール噴射操作機構。
【請求項４】
前記カバーキャップは、前記スライド操作および前記回動起立操作を実行するための開口または凹状の前後方向案内部を有し、  前記モードシフト用基部は、前記前後方向案内部にガイドされる軸部である、  ことを特徴とする請求項１乃至３のいずれかに記載のエアゾール噴射操作機構。
【請求項５】
前記前後方向案内部は、前記軸部が前記ロック解除モードの位置まで移動したことを利用者に感得させるためのクリック感生成部を有している、  ことを特徴とする請求項１乃至４のいずれかに記載のエアゾール噴射操作機構。
【請求項６】
前記下動阻止作用部は、前記噴射操作部の下面と当接する下面保持部分である、  ことを特徴とする請求項１乃至５のいずれかに記載のエアゾール噴射操作機構。
【請求項７】
前記カバーキャップは、前記噴射操作部を配設するための周方向の上切欠状部、および当該上切欠状部の両側周方向へと延びる高位置の縁状天面を有し、  前記静止モードおよび前記ロックモードのとき、前記噴射操作部の天面が前記縁状天面と連続する高さに設定される、  ことを特徴とする請求項１乃至６のいずれかに記載のエアゾール噴射操作機構。
【請求項８】
請求項１乃至７のいずれかに記載のエアゾール噴射操作機構を備え、かつ、容器本体に噴射用ガスおよび内容物を収容した、  ことを特徴とするエアゾール式製品。
【発明の詳細な説明】
【技術分野】
【０００１】  本発明は、押下げタイプの噴射操作部を静止モードの状態に保持して内容物の噴射操作を阻止するロックモード、および作動モードの当該噴射操作部の天面を受けてその位置に保持する連続作動モードが個々に設定されるエアゾール噴射操作機構に関する。【０００２】  すなわち、噴射操作部を静止モードの位置にロック操作部で保持するロックモードでは、当該噴射操作部が静止モードより下方の作動モードの位置へ押し下げられることを確実に阻止する。【０００３】  また、噴射操作が可能なロック解除モードにおいては、作動モードの位置に押下げ操作された噴射操作部をロック操作部で係止することにより、その後の押下げ操作がなくても当該噴射操作部を作動モードへ継続的に維持して、連続作動モードを設定する。【０００４】  本発明は、特にロック解除状態の噴射操作部をガス抜きなどの連続作動モードの位置に設定するに際し、利用者が、ロック解除・静止モードのロック操作部を回動操作して起立させるものである。【０００５】  この起立状態への回動操作は、ロックモードの設定・解除操作におけるロック操作部の前後方向スライド操作と比して操作態様が明らかに異なっており、また、回動操作後のロック操作部の起立状態は視覚的にも非常に目立ちやすい。【０００６】  利用者は、この起立状態を、前後方向スライド操作時の略水平状態に比べて瞬時に視認識別することができる。【０００７】  このようにロック操作部に対する、ロックモード設定・解除の前後方向スライド操作とは著しく異なる形の回動操作により連続作動モードを設定している。また、ロックモードから連続作動モードに移行するにはロック操作部の後方向スライド操作およびこれに続く回動起立操作の二段階操作が必要となる。【０００８】  これによりエアゾール噴射操作機構の連続作動モードが不用意に設定されてしまうのを防止し、また利用者が遠方からでも瞬時に当該連続作動モードの設定状態を認識できるようにしている。【０００９】  さらには、噴射操作部の天面部分を、当該噴射操作部などの保護作用を呈する筒状のカバーキャップの縁状天面の略内側全体を占め、かつ、この縁状天面と略同じ高さとなるように設定し、噴射操作部およびその回りの天面全体のフラット形状化を図っている。【００１０】  本明細書では、「連続作動モード」の語を、噴射操作部が作動モードと同様の下動位置に強制的に保持されて、ガス，内容物などが連続噴射される状態を示す意で用いる。【００１１】  また、噴射操作部が噴射操作されてない状態（ステムバルブの閉作用で内容物が外部空間域に噴射されない状態）を静止モードといい、噴射操作部が噴射操作された状態（ステムバルブの開作用で内容物が外部空間域に噴射される状態）を作動モードという。【００１２】  また、ノズル噴射用孔部側を「前」、それとは反対側を「後」とそれぞれ記し、噴射操作部側を「上」、それとは反対の容器本体側を「下」とそれぞれ記す。水平面内における前後方向と略直交する方向を「横」，「左右」という。【００１３】  なお、エアゾール式製品の連続作動モードにおいて、容器内容物をまだ使い切っていないときは内容物連続噴射状態となり、容器内容物を略使い切っているときはガス抜き状態となる���【００１４】  このガス抜き状態と内容物連続噴射状態とはもっぱら用途上の違いにすぎず、エアゾール式製品の動作機構としては、これらはともにアクチュエータ（操作部，ステムなど）がその作動位置に継続的に保持されているものである。すなわち当該各状態のそれぞれにおけるバルブ機構などの動作メカニズムに違いはない。
【背景技術】
【００１５】  従来、内容物を略消尽した後のエアゾール式製品の廃棄に先立って押下げタイプの噴射操作部を、回動操作し、その作動モード位置まで下動させてその位置に係合保持するようにしたガス抜き機構が提案されている（特許文献１参照）。【００１６】  このときのガス抜き設定操作は、ステムに取り付けられた押下げタイプの噴射操作部に対する静止モード位置からのいわば略水平面内での回動操作である。【００１７】  この回動操作にともない、噴射操作部の被案内部分が、肩カバー体（カバーキャップ）の下り傾斜の天井面に案内されながら下方に移動してその先の平坦天井面に係合保持される。
【先行技術文献】
【特許文献】
【００１８】
【特許文献１】特開２００３−１６５５８６号公報
【発明の概要】
【発明が解決しようとする課題】
【００１９】  このように従来の、押下げタイプの噴射操作部の回動操作に基づいて作動するガス抜き設定機構の場合、その設定操作の方向はあくまで概略「水平面内」であって、最終的に噴射操作部を保持する部分も水平回動操作方向の平坦天井面となる。【００２０】  すなわち、肩カバー体の下り傾斜の天井面に案内されながら作動モード位置へと下動する噴射操作部の被案内部分を、当該傾斜部分から連続した形の水平天井面に当接させ、これにより当該噴射操作部の上方向への静止モード復帰動作を阻止している。【００２１】  また、ガス抜き設定用の回動操作はステムに取付けられたままの噴射操作部に対して行われる。【００２２】  そのため、ガス抜き状態の噴射操作部に、ガス抜き設定の回動操作とは逆方向の不用意な力が加わると、噴射操作部の被案内部分が本来の平坦天井面からその隣の上り傾斜天井面の方に移動してガス抜き状態を解除してしまうという問題点があった。【００２３】  この場合、隣へ移動した噴射操作部は、その被案内部分が上り傾斜天井面に沿う形で上動してついには静止モード位置へと復帰する。すなわちガス抜き状態は中断される。【００２４】  これとは逆に静止モード位置の噴射操作部がいたずらなどでガス抜き状態の設定方向に回動操作されると、エアゾール噴射機構は誤ってガス抜き状態に移行してしまうという問題点があった。【００２５】  そこで本発明では、連続作動モードの設定に際して噴射操作部の水平回動操作を何ら要することなしに、(11)ロック操作部の作用により、押下げタイプの噴射操作部を静止モードの状態に保持して内容物噴射操作を阻止するロックモードと、ロックモード解除後の作動モードの噴射操作部天面を押さえてその位置に保持する連続作動モードと、が選択的に設定され、(12)ロックモードの設定・解除はロック操作部の前後方向スライド操作に基づいて実行され、ガス抜きなどの連続作動モードの設定・解除は、当該ロック操作部の、前後方向スライド操作とは操作態様が明らかに異なる回動起立・倒伏操作に基づいて実行され、(13)ガス抜きなどの連続作動モードではロック操作部がその起立状態に設定される、形のエアゾール噴射操作機構を用いている。【００２６】  また、噴射操作部の天面部分を、当該噴射操作部などの保護作用を呈する筒状のカバーキャップの縁状天面の略内側全体を占め、かつ、静止モード位置のときにこの縁状天面と略同じ高さとなる、ように設定している。【００２７】  これにより、(21)前後方向スライド操作に基づくロックモードの設定・解除および回動起倒伏操作に基づく連続作動モードの設定・解除の、各個別操作の確実化を図るとともに、ガス抜き状態や内容物連続噴射状態の誤設定防止の十全化を図る、(22)ロック操作部の起立動作をともなって連続作動モード設定の視認容易化を図る、(23)噴射操作部およびその回り部分からなるエアゾール噴射操作機構の天面全体の滑らか形状化，フラット形状化を図る、ことなどを目的とする。
【課題を解決するための手段】
【００２８】
本発明は、以上の課題を次のようにして解決する。
（１）押下げタイプの噴射操作部(例えば後述の噴射操作部１)を静止モードの状態に保持して内容物の噴射操作を阻止するロックモード、および作動モードの当該噴射操作部の天面(例えば後述の横幅広部分１ｃの左右端・後端側上面１ｅ)を受けてその位置に保持する連続作動モードが個々に設定されるエアゾール噴射操作機構において、
前記内容物を収容した容器本体(例えば後述の容器本体３)の側に、前記噴射操作部を保護する形で常時取り付けられている筒状のカバーキャップ(例えば後述のカバーキャップ４)と、
前記ロックモードの位置と前記噴射操作が可能なロック解除モードの位置との間における前後方向へのスライド操作、および当該ロック解除モードの状態で前記連続作動モードを設定・解除するための回動起立操作・倒伏操作がそれぞれおこなえる態様で、前記カバーキャップに取り付けられたロック操作部(例えば後述のロック操作部５)と、を備え、
前記ロック操作部は、
前記スライド操作の際に前記カバーキャップに案内され、かつ、前記回動起立操作の際にその回動中心として作用するモードシフト用基部(例えば後述の軸部５ｆ)と、
前記ロックモードの前記噴射操作部を下側から保持してその下方向への移動を阻止する下動阻止作用部(例えば後述の後連結部上端面５ｅ)と、
前記連続作動モードの前記噴射操作部の天面を保持してその上方向への移動を阻止する上動阻止作用部(例えば後述の四角柱状部５ｇ)と、を有し、
前記連続作動モードのとき、
前記ロック操作部が、利用者からみて前記前後方向における倒伏状態とは視認識別可能な、起立状態に設定される、
構成態様のものを用いる。
（２）上記（１）において、
前記ロック操作部は、
前記カバーキャップの後端側下部分(例えば後述のテラス状部４ｆ)とその上方の前記噴射操作部(例えば後述の噴射操作部１の円弧状垂下部１ｈ)との間に配される部材である、
構成態様のものを用いる。
（３）上記（１），（２）において、
前記ロック操作部は、
前側が開口したＵ字状部材であり、
前記上動阻止作用部は、
前記Ｕ字状部材の後側内周面に形成されて、前記回動起立操作により前記噴射操作部の天面の保持位置へ移動する凸状部(例えば後述の四角柱状部５ｇ)である、
構成態様のものを用いる。
（４）上記（１）〜（３）において、
前記カバーキャップは、
前記スライド操作および前記回動起立操作を実行するための開口または凹状の前後方向案内部(例えば後述の前後方向開口部４ｄ)を有し、
前記モードシフト用基部は、
前記前後方向案内部にガイドされる軸部(例えば後述の軸部５ｆ)である、
構成態様のものを用いる。
（５）上記（１）〜（４）において、
前記前後方向案内部は、
前記軸部が前記ロック解除モードの位置まで移動したことを利用者に感得させるためのクリック感生成部(例えば後述の係止用凸状部４ｅ)を有している、
構成態様のものを用いる。
（６）上記（１）〜（５）において、
前記下動阻止作用部は、
前記噴射操作部の下面(例えば後述の円弧状垂下部１ｈの下端面)と当接する下面保持部分(例えば後述の後連結部上端面５ｅ)である、
構成態様のものを用いる。
（７）上記（１）〜（６）において、
前記カバーキャップは、
前記噴射操作部を配設するための周方向の上切欠状部(例えば後述の上切欠状部４ｇ)、および当該上切欠状部の両側周方向へと延びる高位置の縁状天面(例えば後述の縁状天面４ｈ)を有し、
前記静止モードおよび前記ロックモードのとき、
前記噴射操作部の天面が前記縁状天面と連続する高さに設定される、
構成態様のものを用いる。
【００２９】  このような構成からなるエアゾール噴射操作機構および当該エアゾール噴射操作機構を備えたエアゾール式製品を本発明の対象としている。【００３０】  なお、前々段落において、構成要素の表記後に括弧書きで適宜示している部分は、この構成要素に相当する図１〜図６での参照番号付きの実施形態構成要素である。
【発明の効果】
【００３１】  本発明は、以上の構成により、(31)ロックモードおよび連続作動モードそれぞれの設定・解除にかかる個々の操作の確実化を図るとともに、ガス抜き状態や内容物連続噴射状態の誤設定を防止する、(32)利用者は、起立状態のロック操作部を見て、エアゾール式製品がガス抜きなどの連続作動モードに設定されていることを遠方からでも瞬時に、かつ容易に確認する、(33)エアゾール噴射操作機構の天面全体（噴射操作部およびその回り部分）を滑らか形状，フラット形状に設定する、ことができる。
【図面の簡単な説明】
【００３２】
【図１】ロック操作部が最前方に位置して、噴射操作部の下方への作動モード設定操作が阻止されるロックモードの側面視状態（一部断面）を示す説明図である。
【図２】図１のロックモードの斜視状態を示す説明図である。
【図３】図１のロック操作部を後方にスライドさせたロック解除・静止モードの平面視状態を示す説明図である。
【図４】図３のロック解除・静止モードの斜視状態を示す説明図である。
【図５】図３の噴射操作部を押し下げて、かつ、ロック操作部をＢ方向に回動・起立させたガス抜き状態の側面視状態（一部断面）を示す説明図である。
【図６】図５のガス抜き状態の斜視状態を示す説明図である。
【発明を実施するための形態】
【００３３】  図１乃至図６を用いて本発明を実施するための最良の形態を説明する。
【００３４】  上述したように本発明のエアゾール式製品における連続作動モードは、ガス抜き状態または内容物連続噴射状態である。
【００３５】  以下の実施形態では、単なる説明の便宜上、連続作動モードとしてのガス抜き状態、すなわち噴射操作部がその押下げ位置に保持された状態で容器本体の残留ガスが外部空間域に連続噴射されるガス抜き状態を、前提とする。
【００３６】  なお、以下のアルファベット付き参照番号の構成要素（例えば押下げ用窪み状部１ａ）は原則として、当該参照番号の数字部分の構成要素（例えば噴射操作部１）の一部であることを示している。
【００３７】  図１〜図６において、１は押下げ回動操作タイプの噴射操作部，１ａは噴射操作部天面の内側部分に形成された押下げ操作対象の浅い押下げ用窪み状部，１ｂは当該噴射操作部の後端側部分を構成し、平面視状態で後述の四角柱状部５ｇの間に入り込む形状からなる横幅狭部分，１ｃは横幅狭部分１ｂから前方に続く横幅広部分，１ｄは横幅広部分１ｃの前後方向直線状に延びる左右端・後端側下面，１ｅは横幅広部分１ｃの前後方向直線状に延びる左右端・後端側上面，１ｆは押下げ用窪み状部１ａの周りの、横幅狭部分１ｂおよび横幅広部分１ｃにまたがる範囲に形成された環状平面部，１ｇは環状平面部１ｆの後端部分から後方への下り傾斜で形成された円弧状斜面部，１ｈは円弧状斜面部１ｇの下端部分から下方に延びる円弧状垂下部，１ｊは当該噴射操作部の下面前後方向の前部分に対向状態で形成された一対の垂下平板，１ｋは垂下平板１ｊそれぞれの外側面前部に形成された一対の外向き回動軸，１ｍは横幅広部分１ｃなどと一体成形された略Ｌ字状の内容物通路域，１ｎは内容物通路域１ｍの前端部分に取り付けられた内容物噴射用のノズル，１ｐはノズル１ｎの前端部分に形成された内容物噴射用の孔部，をそれぞれ示している。
【００３８】  また、２は内容物通路域１ｍの上流端部分が取外し可能な形で取り付けられて、かつ、コイルスプリング（図示省略）の弾性力により上方向に付勢され、周知のバルブ作用および噴射通路作用を呈するステム，３は後述の内容物および噴射用ガスを収納したエアゾール式製品の周知の容器本体，３ａは当該容器本体の開口端部側に取り付けられた、すなわち肩カバー体上端部分に取り付けられた周知のマウンティングカップ，３ｂはマウンティングカップ３ａの中央部分に係合保持され、噴射対象内容物の貯留域，通路域などとして作動する周知のハウジング，３ｃはマウンティングカップ３ａの外下端側で肩カバー体上端部との間の環状部分に形成された周知のアンダーカット（環凹状部），をそれぞれ示している。
【００３９】  また、４はアンダーカット３ｃに常時嵌合した状態で噴射操作部１を保護する筒状のカバーキャップ，４ａは当該カバーキャップの筒状起立部，４ｂは筒状起立部４ａの下端側内周面に形成されてアンダーカット３ｃと係合する周方向凸状部，４ｃは筒状起立部４ａの前端側に形成された内容物噴射用の開口域，４ｄは筒状起立部４ａの前後方向両側面それぞれの後上側対向部分に形成されて、後述の軸部５ｆの前後方向へのスライド移動を案内する一対の前後方向開口部，４ｅは前後方向開口部４ｄの上部分に形成されて、後述の軸部５ｆが少なくともロック解除・静止モードの後位置まで移動したことや、当該後位置から前方に抜け出したことにともなうクリック感を利用者に与え、かつ、当該軸部を当該後位置に保持して後述のロック操作部５の起立操作時（ガス抜き状態設定操作時）の回動軸位置の前後方向のずれをなくすための係止用凸状部，４ｆは筒状起立部４ａの後下側に形成されて、ロックモード（図１，図２）のとき後述のロック操作部５の後連結部下端面５ｄを保持するテラス状部，４ｇはテラス状部４ｆの直上方に存在して、噴射操作部１を配設するための周方向の上切欠状部、４ｈは上切欠状部４ｇからその左右両側の前周方向へ延び、ロックモードおよびロック解除・静止モード（図１〜図４）のとき、噴射操作部１の天面（押下げ用窪み状部１ａ，環状平面部１ｆなど）と連続する略同じ高さに設定される高位置の縁状天面，４ｊは筒状起立部４ａの前端側内周面に形成されて、噴射操作部１の外向き回動軸１ｋの受け部として作用する一対の円凹状部，をそれぞれ示している。
【００４０】  また、５は前開口でＵ字状（略ヘッドホン形状）の平面視形態からなるロック操作部，５ａは当該ロック操作部の前後方向へのスライド操作時や、ガス抜きなどの連続作動モード（図５，図６）の設定・解除における回動操作時に、利用者の把持対象となる左右一対（図３の上下一対）のアーム部，５ｂはアーム部５ａそれぞれの対向内面の一部であって、前後方向の平面部分の後端から内側後方に続く対向曲面部分，５ｃは対向曲面部分５ｂそれぞれの内端間に後方凸の曲面態様で形成された後連結部，５ｄは図１，図２のロックモードのとき、カバーキャップ４のテラス状部４ｆに当接して保持される後連結部下端面，５ｅは図１，図２のロックモードのとき、噴射操作部１の円弧状垂下部１ｈの下端面と当接してこれを保持する後連結部上端面，５ｆはアーム部５ａそれぞれの内側面の後上側部分に形成されて、当該アーム部の前後方向へのスライド動作のとき前後方向開口部４ｄに案内され、かつ、図３，図４のロック解除・静止モードと図５，図６のガス抜き状態との間のシフト動作における回動中心として作用する円柱状で一対の軸部，５ｇは後連結部５ｃの左右両端側で軸部５ｆより少し下方位置に形成されて、図１，図２のロックモードでは、前側部分が噴射操作部１の左右端・後端側下面１ｄの下方に位置し、図３，図４のロック解除・静止モードでは、この前側部分を含む全体が噴射操作部１の横幅狭部分１ｂの左右両側にいわば露出し(図３参照)、図５，図６のガス抜き状態では、噴射操作部１の左右端・後端側上面１ｅと当接して当該噴射操作部を押下げ操作後の作動モード位置に継続保持する機能を備えた一対の四角柱状部，５ｈは四角柱状部５ｇの構成面であって、噴射操作部１の横幅広部分１ｃの左右端・後端側上面１ｅと当接するガス抜き状態設定用の前端面，５ｊは左右一対のアーム部５ａそれぞれの外面前側の前後スライド方向に形成されて、利用者が当該ロック操作部のスライド操作をするとき、また当該ロック操作部の回動起立操作や回動倒伏操作をするときに用いられる浅い把持用窪み状部，をそれぞれ示している。
【００４１】  また、Ａは噴射操作部１の押下げ操作方向，Ｂはロック操作部５のガス抜き状態設定用の回動操作方向（図示反時計方向）Ｃはロック操作部５のガス抜き状態解除用の回動操作方向（図示時計方向）をそれぞれ示している。
【００４２】  ここで、噴射操作部１，カバーキャップ４およびロック操作部５は例えばポリプロピレン，ポリエチレン，ポリアセタール，ナイロン，ポリブチレンテレフタレートなどからなるプラスチック製のものである。
【００４３】  また、ステム２やハウジング３ｂは例えばプラスチック製または金属製のものである。容器本体３やマウンティングカップ３ａは例えば金属性のものである。
【００４４】  図示のエアゾール噴射操作機構の基本的特徴は、(41)ロック操作部５を前方向に押し込んだ形のロックモード（図１，図２）のとき、その後連結部下端面５ｄがカバーキャップ４のテラス状部４ｆに保持された状態で、その後連結部上端面５ｅが噴射操作部１の円弧状垂下部１ｈの下端面と当接して、当該噴射操作部の押下げ操作を阻止し、(42)図１，図２のロック操作部５を後方向にスライドさせて引き出した形のロック解除・静止モード（図３，図４）のとき、その後連結部上端面５ｅと噴射操作部１の円弧状垂下部１ｈとの係合保持状態が解除され、かつ、ロック操作部５の四角柱状部５ｇの全体が噴射操作部１の横幅広部分１ｃの左右端・後端側下面１ｄより後方位置の露出状態となるまで移動して(図３参照)、当該噴射操作部の押下げ操作を可能とし、(43)図３，図４の噴射操作部１を押下げ操作したままロック操作部５をＢ方向に回動起立させた形のガス抜き状態（図５，図６）のとき、ロック操作部５の四角柱状部５ｇの前端面５ｈが、当該噴射操作部の横幅広部分１ｃの左右端・後端側上面１ｅに当接して当該噴射操作部を押下げ操作後の作動モード位置に継続保持する、ことである。
【００４５】  上述したように図１および図２のロックモードでは噴射操作部１の円弧状垂下部１ｈの下端面がロック操作部５の後連結部上端面５ｅに当接し、かつ、当該ロック操作部の後連結部下端面５ｄがカバーキャップ４のテラス状部４ｆに当接している。すなわち噴射操作部１は、少なくともその押下げ操作方向に関し、ロック操作部５を介してカバーキャップ４に係合保持される。
【００４６】  そのため、噴射操作部１の押下げ操作が不能となって、作動モード設定や連続作動モード設定の誤操作を確実に阻止できる。
【００４７】  図１，図２のロックモードのとき、ロック操作部５の軸部５ｆはカバーキャップ４の前後方向開口部４ｄの前端部分に位置している。
【００４８】  利用者が、図１，図２のロック操作部５の一対の把持用窪み状部５ｊを持って後方向にスライドさせると、当該ロック操作部はロックモードの位置から図３，図４のロック解除・静止モードの位置へと移動する。
【００４９】  この後方向への移動に際し、ロック操作部５は、その軸部５ｆがカバーキャップ４の前後方向開口部４ｄに案内されたまま、その後連結部下端面５ｄがカバーキャップ４のテラス状部４ｆから後方に離間する。
【００５０】  なお、軸部５ｆは、図１，図２のロックモードの位置においても、図３，図４のロック解除・静止モードのときと同じように、係止用凸状部４ｅによって前後方向開口部４ｄの前端部分に保持される。
【００５１】  そのため利用者は、軸部５ｆがロックモードの前位置に設定されたことや、当該前位置から後方に移動したことにともなうクリック感を得ることができる。
【００５２】  図３，図４のロック解除・静止モードでは、ロック操作部５の軸部５ｆが前後方向開口部４ｄの後端部分、すなわち係止用凸状部４ｅの後側部分に確実に保持される。
【００５３】  また、図３で明示されるように、ロック操作部５の四角柱状部５ｇの前側部分、すなわちそれまで横幅広部分１ｃ（噴射操作部１）の左右端・後端側下面１ｄの下方に位置していた前側部分が当該左右端・後端側下面の後方離間位置に移動する。
【００５４】  ロック操作部５の後連結部下端面５ｄおよび後連結部上端面５ｅがそれぞれカバーキャップ４のテラス状部４ｆおよび噴射操作部１の円弧状垂下部１ｈから後方に離間し、かつ、この四角柱状部５ｇが左右端・後端側下面１ｄの後方へ離間する。
【００５５】  これら後連結部下端面５ｄ，後連結部上端面５ｅおよび四角柱状部５ｇの離間により、噴射操作部１の押下げ操作は何ら阻止されずに実行可能となる。
【００５６】  利用者が、ロック解除・静止モードに設定された噴射操作部１の押下げ用窪み状部１ａをＡ方向に押圧すると、当該噴射操作部は外向き回動軸１ｋを中心にして図４の時計方向に回動する。このとき、内容物通路域１ｍのステム２との連結部分（上流端部分）は下方に変位する。
【００５７】  この連結部分の変位にともない、ステム２もコイルスプリングの弾性力に抗しながら下方向に移動して、ステムバルブ（ステム孔部およびステムガスケット）がそれまでの閉状態から開状態へシフトする。なお、このコイルスプリングおよびステムバルブなどを含むシフト動作機構は周知である。
【００５８】  周知のステムバルブが開状態となった作動モードでは、噴射用ガスの作用により、容器本体３の内容物がハウジング３ｂ，ステム２および内容物通路域１ｍを経てノズル１ｎの孔部１ｐから外部空間域に噴射される。
【００５９】  そして、利用者が噴射操作部１の押下げ操作をやめると、ステム２およびこれと一体の噴射操作部１は、周知のコイルスプリング上方向への弾性作用により上動して図３，図４のロック解除・静止モードの状態に復帰する。
【００６０】  この復帰にともない、上述のステムバルブ（ステム孔部およびステムガスケット）がそれまでの開状態から閉状態へシフトする。ステムバルブの閉状態へのシフト後に容器本体内容物が外部空間域に噴射されないことは勿論である。
【００６１】  図５，図６のガス抜き状態では、上述したように図３，図４のロック解除・静止モードの噴射操作部１を押下げ操作したままロック操作部５をＢ方向に起立させ、その起立状態を保持している。
【００６２】  すなわち、利用者が噴射操作部１への押下げ操作を続けるのではなく、起立状態のロック操作部５で当該噴射操作部をその押下げ操作位置（作動モード位置）に継続保持している。
【００６３】  このように図５，図６のガス抜き状態は、ロック操作部５の略水平状態から起立状態への回動操作により設定される。
【００６４】  この回動操作は、ロックモードの設定・解除における前後方向へのスライド操作とは明らかに操作態様が異なる。
【００６５】  そのため、利用者が例えば図３，図４のロック解除・静止モードから図１，図２のロックモードへの移行操作をする場合に、不用意に図５，図６のガス抜き状態（連続作動モード）へ移行してしまうような誤操作は回避されやすい。
【００６６】  また、図１〜図４のロック操作部５と、図５，図６のロック操作部５との見た目の違いも顕著である。すなわち、図５，図６のガス抜き状態のロック操作部５は起立し、図１〜図４のロック操作部５は前後方向の略水平状態に配設されている。
【００６７】  そのため利用者はエアゾール式製品を遠くからみてもそれがガス抜き状態に「設定されている／設定されていない」ことを瞬時に、確実に視認することができる。
【００６８】  なお、噴射操作部１の押下げ操作後にロック操作部５をＢ方向に起立させるときの回動中心である軸部５ｆは、それの前後動ガイド部としての前後方向開口部４ｄの係止用凸状部４ｅより後方の後端側部分に安定的に保持されている。
【００６９】  そのため前後方向開口部４ｄの後端側部分に保持された軸部５ｆは、ロック操作部５のＢ方向への回動起立操作およびＣ方向への回動倒伏操作の際にこの後端側位置から前方にずれることなしに確実な回動中心として作用する。
【００７０】  上述したように利用者が、ロック解除・静止モードの噴射操作部１をＡ方向に押下げ操作してその後側を下動させた状態で、ロック操作部５をＢ方向に回動操作することによりガス抜き状態へと移行する。利用者は例えば把持用窪み状部５ｊを持ってこの回動操作をおこなう。
【００７１】  このＢ方向への回動操作にともない、ロック操作部５の四角柱状部５ｇは、その前端面５ｈが前向き状態から下向き状態へと変化する形で起立していく。
【００７２】  最終的に前端面５ｈは、噴射操作部１の横幅広部分１ｃの左右端・後端側上面１ｅの直上位置まで移動し、この上面部分に当接して当接噴射操作部を押下げ操作時と同じ作動モードの状態に保持する。
【００７３】  この保持状態では、噴射操作部１を上方向に付勢する周知のコイルスプリングの弾性作用により、当該噴射操作部の左右端・後端側上面１ｅが四角柱状部５ｇの前端面５ｈに強く当接している。この当接後に、利用者が噴射操作部１の押下げ操作を継続しなくてもよいことは勿論である。
【００７４】  利用者が、ロック操作部５に対するガス抜き状態設定用のＢ方向への回動起立操作を止めるタイミングは、アーム部５ａの対向曲面部分５ｂとカバーキャップ４の縁状天面４ｈとの当接感触を得たときなどである。
【００７５】  図５，図６のガス抜き状態においては内容物噴射状態の作動モードと同じように周知のステムバルブ（ステム孔部，ステムガスケット）が開状態に設定され、容器本体３からノズル１ｎの孔部１ｐまでの噴射通路が確保されている。図５の矢印経路により容器本体３の残留ガスが外部空間域に噴射される。
【００７６】  ガス抜き状態を解除するには、利用者が、図５および図６の回動起立状態にあるロック操作部５をその把持用窪み状部５ｊまたは後連結部５ｃなどを持ってＣ方向に回動倒伏操作すればよい。
【００７７】  このＣ方向への回動倒伏操作により、ロック操作部５はその軸部５ｆを中心に回動して図３，図４の略水平状態へ復帰し、それまでの噴射操作部１の左右端・後端側上面１ｅに対する四角柱状部５ｇの前端面５ｈの当接保持作用が解消される。
【００７８】  その結果、ロック操作部５からフリーとなった噴射操作部１は、周知のコイルスプリングの弾性力により上動して図３，図４のロック解除・静止モードに復帰する。
【００７９】  利用者がこの復帰後のロック操作部５の把持用窪み状部５ｊを持って前方にスライドさせると、噴射操作部１および当該ロック操作部は図１，図２のロックモードの位置関係に移行する。
【００８０】  カバーキャップ４の前後方向開口部４ｄにロック操作部５の軸部５ｆを組み込む作業のときには、この前後方向開口部を含むプラスチック製の当該カバーキャップおよびこの軸部を含むプラスチック製の当該ロック操作部が相対的に弾性変形する。
【００８１】  また、カバーキャップ４の円凹状部４ｊに噴射操作部１の外向き回動軸１ｋを組み込む作業のときには、この円凹状部を含むプラスチック製の当該カバーキャップおよびこの外向き回動軸を含むプラスチック製の当該噴射操作部が相対的に弾性変形する。
【００８２】  本発明のエアゾール噴射操作機構が図示の実施形態に限定されるものでないことは勿論であり、例えば、(51)図示の押下げ回動タイプの噴射操作部１に代えて、非回動で上下動タイプの噴射操作部を用いる、(52)図示のノズル１ｎとは別に長尺ノズルを設けて、これらのノズルを切り替えて選択的に用いる周知の２ウェイノズルとする、(53)カバーキャップ４の前後方向開口部４ｄに代えて前後方向凹状部を形成する、(54)ロック操作部５の四角柱状部５ｇとして、ロックモードのときには静止モード位置の噴射操作部１の下面部分を保持し、かつ、ロック解除・静止モードのときには当該下面部分から後方に離間して当該噴射操作部の押下げ噴射操作が阻止されない、という付加機能を併せ備えた形状のものを用いる、(55)上記(54)の付加機能を備えた部分を四角柱状部５ｇとは別に設ける、(56)前後方向開口部４ｄと軸部５ｆとの間や、円凹状部４ｊと外向き回動軸１ｋとの間などの凹凸関係を逆にする、ようにしてもよい。
【００８３】  本発明が適用されるエアゾール式製品としては、洗浄剤，清掃剤，冷却剤，筋肉消炎剤，育毛剤，染毛剤，ヘアスタイリング剤，ヘアトリートメント剤，日焼け止め，化粧水，クレンジング剤，制汗剤，化粧品，シェービングフォーム，食品，液滴状のもの（ビタミンなど），医薬品，医薬部外品，園芸用剤，殺虫剤，害虫忌避剤，動物忌避剤，消臭剤，洗濯のり，消火器，塗料，接着剤，潤滑剤，ウレタンフォームなどの各種用途のものがある。
【００８４】  容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００８５】  粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００８６】  油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００８７】  アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００８８】  界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００８９】  高分子化合物としては、ヒドロキシエチルセルロース，メチルセルロース，ゼラチン，デンプン，カゼイン，キサンタンガム，カルボキシビニルポリマーなどを用いる。
【００９０】  各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００９１】  さらに、上記内容物以外の、懸濁剤，乳化剤，酸化防止剤，金属イオン封鎖剤なども用いることができる。
【００９２】  エアゾール式製品における内容物噴射用ガスとしては、炭酸ガス，窒素ガス，圧縮空気，亜酸化窒素，酸素ガス，希ガス，これらの混合ガスなどの圧縮ガスや、液化石油ガス，ジメチルエーテル，ハイドロフルオロオレフィンなどの液化ガスを用いる。
【符号の説明】
【００９３】１：噴射操作部１ａ：押下げ用窪み状部１ｂ：横幅狭部分１ｃ：横幅広部分１ｄ：横幅広部分の左右端・後端側下面１ｅ：横幅広部分の左右端・後端側上面１ｆ：環状平面部１ｇ：円弧状斜面部１ｈ：円弧状垂下部１ｊ：一対の垂下平板１ｋ：一対の外向き回動軸１ｍ：略Ｌ字状の内容物通路域１ｎ：ノズル１ｐ：内容物噴射用の孔部【００９４】２：ステム３：容器本体３ａ：マウンティングカップ３ｂ：ハウジング３ｃ：アンダーカット【００９５】４：カバーキャップ４ａ：筒状起立部４ｂ：周方向凸状部４ｃ：内容物噴射用の開口域４ｄ：前後方向開口部４ｅ：係止用凸状部４ｆ：テラス状部４ｇ：上切欠状部４ｈ：上方からみて略Ｕ字状の縁状天面４ｊ：一対の円凹状部【００９６】５：ロック操作部５ａ：左右一対（図３の上下一対）のアーム部５ｂ：アーム部の対向曲面部分５ｃ：後連結部５ｄ：後連結部下端面５ｅ：後連結部上端面５ｆ：一対の軸部５ｇ：一対の四角柱状部５ｈ：ガス抜き状態設定用の前端面５ｊ：把持用窪み状部【００９７】Ａ：噴射操作部の押下げ操作方向(図４参照)Ｂ：ガス抜き状態設定用の回動操作方向(図４，図５，図６参照)Ｃ：ガス抜き状態解除用の回動操作方向(図５，図６参照)
【図１】
0006465433.tif 000002
【図２】
0006465433.tif 000003
【図３】
0006465433.tif 000004
【図４】
0006465433.tif 000005
【図５】
0006465433.tif 000006
【図６】
0006465433.tif 000007